(57)【要約】　　　（修正有）【課題】統一された外観の複数のユニットからなるシステムキッチンにおいて、電気冷蔵庫等の電化機器を交換しても、外観の統一が乱されないようにする。【解決手段】電気冷蔵庫等の電化機器をキャビネット１０に収容し、このキャビネットの前面の扉１１をこのキャビネットの側面板の内面に前後方向に設けたレールに支持されている滑動部材に蝶番１７によって結合し、この扉１１の前面の外観をシステムキッチンを構成する他のユニット１、２、３と統一された外観にする。【選択図】　　図１
0003098936.tif 000002
【実用新案登録請求の範囲】
【請求項１】
両側に位置する側面板と前面に位置する扉とを有し、上記扉は側面板の内面に前後方向に設けたレールに滑動可能に支持された滑動部材に蝶番結合され、その前面はシステムキッチンを構成する他のユニットと統一された外観を有することを特徴とするシステムキッチンにおける電化機器収納キャビネット。
【請求項２】
請求項１において、上記扉の前面は、システムキッチンを構成する他のユニットと同一の色調であることを特徴とするシステムキチンにおける電化機器収納キャビネット。
【請求項３】
請求項１において、上記キャビネットは電気冷蔵庫、電子レンジ、自動食器洗い乾燥器の何れかであることを特徴とするシステムキッチンにおける電化機器収納キャビネット。
【考案の詳細な説明】
【０００１】
【産業上の利用分野】
本考案は、システムキッチンにおいて、電気冷蔵庫、電子レンジ、自動食器洗い乾燥器などの主として電化機器を収納するキャビネットに関するものである。
【０００２】
【考案の解決しようとする課題】
システムキッチンは、これを構成する流し台、調理台、コンロ等の各ユニットの上面が統一された高さで、かつその前面板が統一された色調及び模様になされている。このシステムに例えば電気冷蔵庫を組込む場合、次のような問題がある。その第１は、流し台、調理台、コンロ等のユニットは極めて長寿命であるのに対し、電気冷蔵庫などの電化機器は寿命が１０年程度とかなり短く、買い替える必要を生ずるが、その場合に他のユニットと色調や模様を揃えるのが困難で、システムの外観が見苦しくなることである。第２には、電気冷蔵庫等の電化機器のメーカーは大手の電気メーカーであるのに対し、流し台、調理台、コンロ等のメーカーは必ずしも電気メーカーではないので、電化機器を組込んだ独自の外観のシステムを構成させるのが困難なことである。
従って、本考案はシステムキッチンにおいて、システムを構成する外観を維持しながら、電化機器類の交換を可能にしようとするものである。
【０００３】
【課題を解決するための手段】
本考案によるシステムキッチンは、通常の流し台、調理台、レンジなどのユニットの他に、電化機器を収納するキャビネットを有する。このキャビネットは、前面に扉を有し、その両側に側面板を有している。側面板の内面には前後方向にレールが設けられ、このレールにはレールに沿って滑動できるように滑動部材が支持されている。そして、上記扉はこの滑動部材に蝶番によって結合されている。
【０００４】
ここで、上記キャビネットの扉は、上記した各ユニットの前面と統一された色調及び模様を有している。従って上記各ユニットと組合わせて使用する電化機器の色調や模様が各ユニットと全く異なっていても、上記キャビネット内に収納することにより、全く違和感を生ずることがない。よって、他のユニットを継続して使用しながら電化機器を交換することが容易になり、電化機器を製造していないメーカーでもシステムキッチンを製作することが容易になる。
【０００５】
上述のシステムキッチンにおいてキャビネット内の電化機器を使用する場合は、キャビネトの扉を開き、次いて開いた扉を電化機器の側面と上記側板の内面との隙間内へ移動させることにより、その扉が全く障害にならずに電化機器を使用することができる。
【０００６】
【考案の実施の形態】
図１はシステムキッチンの正面図であり、１は流し台ユニット、２は調理台ユニット、３はレンジユニット、４は排気フード、５は換気扇、６〜９はそれぞれ収納戸棚、１０は冷蔵庫収納キャビネットである。各ユニット１、２、３、排気フード４、戸棚６〜９の前面は統一した色彩で塗装されている。またキャビネット１０の扉１１、１１及び側面板前縁１２もこれと同じ色彩で塗装されている。
【０００７】
図２乃至図４に示すように、キャビネット１０の側面板１３の内面には前後方向に複数本のレール１４、１４……が設けられ各レールは例えば小滑車１５、１５によって滑動部材１６を支持し、扉１１は滑動部材１６に蝶番１７によって結合されている。１８及び１９は扉１１の前面及び側面板１３の前縁１２の塗装皮膜を示し、２０は扉前面に設けた取手であり、２１はキャビネット１０内に収容されている電気冷蔵庫を示す。
【０００８】
このキャビネット１０には、電気冷蔵庫が収納され、常時は図２に示すように扉１１は閉鎖され、このとき滑動部材１６はレール１４の前端付近に位置している。冷蔵庫２１を使用する場合は、先ず取手２０を握って図３に矢印で示すように扉１１を開き、次いで図４に矢印で示すように滑動部材１６をレール１４に沿って滑らせながら、扉１１を側面板１３と冷蔵庫２１との間の隙間に押込んで収納する。
【０００９】
上述のシステムキッチンでは、使用する電気冷蔵庫の電化機器の色彩や模様等が他のユニットと異なっていても、システムとしての統一性を乱さずに使用できるので、これら電化機器の買い替えが容易であり、かつ電気メーカーでなくても容易にシステムキッチンを製作することができる。そして電化機器を収容するキャビネトは、開いた扉をキャビネット内に収納できるので、開かれた扉が内部の機器を使用する際に障害となるのを防ぐことができる。
【００１０】
なお、以上は電気冷蔵庫を収容するキャビネットについて述べたが、例えば調理台ユニット２内に食器洗い乾燥器のような比較的に背が低い機器を収納する場合も同様に本考案を実施することができる。
【００１１】
【考案の効果】
以上の実施例から明らかなように、本考案によるキャビネットを使用したシステムキッチンは、電気冷蔵庫など電化機器をその外観に捉われずに使用することができるので、買い替えなどによる交換が容易であると共に電気メーカーでない業者でもシステムキッチンの製造、販売に参加することができる。そしてそのキャビネットは、電化機器の不使用時には扉を閉ざしてシステムキッチンの外観を保ち、使用時には扉をキャビネット内に収納してその使用の妨げになるのを防ぐことができる。
【図面の簡単な説明】
【図１】本考案によるシステムキッチンの１例の正面図である。
【図２】上記システムキッチンに用いるキャビネットの閉扉状態での要部の拡大断面図である。
【図３】図２に示したキャビネットの開扉状態での要部の拡大断面図である。
【図４】図２に示したキャビネットの扉の収納状態での要部の拡大断面図である。
【符号の説明】
１　　　流し台ユニット
２　　　調理台ユニット
３　　　レンジユニット
４　　　排気フード
５　　　換気扇
６〜９　収納戸棚
１０　　冷蔵庫収納キャビネット
１１　　扉
１３　　側面板
１４　　レール
１６　　滑動部材
１７　　蝶番
２１　　電気冷蔵庫
【図１】
0003098936.tif 000003
【図２】
0003098936.tif 000004
【図３】
0003098936.tif 000005
【図４】
0003098936.tif 000006